(57)【要約】【課題】  内燃機関用ピストンにおいて、リング溝間のランドの強度低下を抑えるとともに、オイル消費を防ぐこと。【解決手段】  内燃機関のシリンダ２に往復動自在に設けられ、前記シリンダ２との間で燃焼室を形成する内燃機関のピストン1であって、リング５、６を挿入するために前記ピストン１の外周に形成された少なくとの二つのリング溝３、４と、前記リング溝間に形成された環状のランド７とを備える内燃機関用ピストンにおいて、前記環状のランド７に周方向において部分的に凹部８を形成した。【選択図】図１
2006257887.tif 000002
【特許請求の範囲】
【請求項１】
内燃機関のシリンダに往復動自在に設けられ、前記シリンダとの間で燃焼室を形成する内燃機関のピストンであって、リングを挿入するために前記ピストンの外周に形成された少なくとの二つのリング溝と、前記リング溝間に形成された環状のランドとを備える内燃機関用ピストンにおいて、
前記環状のランドに周方向において部分的に凹部を形成したことを特徴とする内燃機関用ピストン。
【請求項２】
請求項１において、
前記凹部は、ピストンの中心軸を通り直交する二平面の一方の平面で最深であり、前記一方の平面が前記ピストンの中心軸から離れるにつれて浅くなる凹部を形成したことを特徴とする内燃機関用ピストン。
【請求項３】
請求項１または請求項２において、
前記凹部は、前記ランドの複数箇所に形成したことを特徴とする内燃機関用ピストン。
【請求項４】
請求項１または請求項２、請求項３において、
前記凹部は、断面がクサビ形状であることを特徴とする内燃機関用ピストン。
【請求項５】
請求項１において、
コンロッドを介してクランクシャフトに連結されるピンを挿入する為のピン孔をさらに備え、前記凹部は、前記ピン孔の中心軸に対し直交する方向に開口することを特徴とする内燃機関用ピストン。
【発明の詳細な説明】
【技術分野】
【０００１】
本発明は、内燃機関用ピストンに関し、特にランドに凹部を形成したピストンに関するものである。
【背景技術】
【０００２】
往復動内燃機関において、ピストンは通常２本または３本のリング溝を外周に有しており、これらのリング溝に圧力リングとオイルリングが装着される。しかしながら、ピストンの上端から１番目の第１リング溝と２番目の第２リング溝との間のセカンドランドの圧力が燃焼室の圧力より高くなると、セカンドランドから燃焼室への潤滑油の漏れが生じオイル消費が増加する。これを防ぐために、セカンドランドにピストン全周にわたる三角状の溝や階段状の溝、あるいは略コの字状の溝を形成して、セカンドランドとシリンダ内壁との間の隙間容積を増加させる技術が種々提案されている。（特許文献１、特許文献２、特許文献３参照）
しかしながら、エンジンによりシリンダの傾斜角度や熱環境が異なったり、シリンダの熱膨張によるボア変形も異なるのでセカンドランドの圧力上昇が発生する部位は一様でない。また、近年エンジンの高出力化に伴い燃焼圧力は増加する傾向にある。これに伴い、排気行程では大量の燃焼ガスが排気ポートへ流出する為、排気行程終盤にはシリンダ内負圧が瞬間的に増大する傾向にある。
【０００３】
通常圧力リングは、吸気行程以外ではリング溝の下面に密着しているが、排気行程後半の排気負圧により圧力リングが吸引されリング溝の下面から離れる。そして吸気行程ではリング溝の上面に密着しているが、吸気行程後半でリング溝の上面から離れ、圧縮行程で再びリング溝の下面と密着する。
【０００４】
圧力リングがリング溝上下面のいずれにも密着していない状態では、シールが不完全となり、セカンドランドに溜まったオイルはリング溝の下面とリングの下面との隙間と、リング溝底面とリング内径面との隙間と、リング溝の上面とリングの上面との隙間とを介してオイルは燃焼室側に漏れやすくなる。この状態で燃焼室内が負圧になったり、セカンドランドの圧力が大きくなったりするとオイルは燃焼室内に漏れ、所謂オイル消費の増大につながる。
【０００５】
さらに、ピストンの上下死点では、所謂ピストンの首振り現象が起こり、ピストン打音の発生とともに圧力リングのシール性が悪化することはよく知られている。上死点は前記の排気行程終盤に相当し、排気負圧によってセカンドランドに溜まったオイルが燃焼室側に吸い出される。また、下死点は前記のセカンドランドの圧力上昇する位置に相当し、セカンドランドに溜まったオイルが燃焼室側に漏れることになる。
【０００６】
一方、エンジンの振動低減やスロットルレスポンス向上の面からピストンは軽量化されると同時にピストン全高は短縮される傾向にある。ピストン全高を短縮するにはセカンドランドの軸方向厚さを薄くせざるを得ないが、リングを介して燃焼圧力を受けるセカンドランドの全周に溝を設けることは、セカンドランドの強度が低下し折損につながるおそれがあった。
【特許文献１】特許第３１２０９１８号
【特許文献２】特開２００１−２１４８０４号
【特許文献３】特開２００３−２９４１３９号
【発明の開示】
【発明が解決しようとする課題】
【０００７】
本発明は内燃機関用ピストンにおいて、リング溝間のランドの強度低下を抑えるとともに、オイル消費を防ぐことを技術的課題とする。
【課題を解決するための手段】
【０００８】
上記課題を解決するために講じた第１の技術的手段は、
内燃機関のシリンダに往復動自在に設けられ、前記シリンダとの間で燃焼室を形成する内燃機関のピストンであって、リングを挿入するために前記ピストンの外周に形成された少なくとの二つのリング溝と、前記リング溝間に形成された環状のランドとを備える内燃機関用ピストンにおいて、前記環状のランドに周方向において部分的に凹部を形成したことである。
【０００９】
また、第２の技術的手段は、第１の技術的手段において、
前記凹部は、ピストンの中心軸を通り直交する二平面の一方の平面で最深であり、前記一方の平面が前記ピストンの中心軸から離れるにつれて浅くなるように凹部を形成したことである。
【００１０】
第３の技術的手段は、第１または第２の技術的手段において、
前記凹部は、前記ランドの複数箇所に設けたことである。
【００１１】
第４の技術的手段は、第１または第２、第３の技術的手段において、
前記凹部は、断面がクサビ形状であることを特徴としたことである。
【００１２】
第５の技術的手段は、第１の技術的手段において、
コンロッドを介してクランクシャフトに連結されるピンを挿入する為のピン孔をさらに備え、前記凹部は、前記ピン孔の中心軸に対し直交する方向に開口することを特徴としたことである。
【発明の効果】
【００１３】
請求項1乃至請求項３の発明によれば、リング溝間のランドに円周方向において部分的に凹部を形成したので、セカンドランドの強度低下を抑えつつ、圧力変動を抑制しオイル消費を抑制することができる。
【００１４】
請求項４の発明によれば、凹部を鋳造型で形成することができるので、機械加工に比べて安価に凹部を形成しオイル消費を抑制することができる。
【００１５】
請求項５の発明によれば、ピストンの首振り現象発生時でもシール性が悪化する部位に凹部が設けられるので、ランド空間の圧力変動を抑制しオイル消費を抑制することができる。
【発明を実施するための最良の形態】
【００１６】
以下、本発明に従った内燃機関用ピストンの実施の形態を図面に基づき、説明する。
【００１７】
図１は２本リングタイプのピストンに本発明を適用した場合の、リング溝部拡大断面図である。１はピストン、２はシリンダで、ピストン1はシリンダ２内に摺動可能に配設されている。ピストン１の外周に２本のリング溝３，４が形成されている。ピストン１の上端から１番目の第１リング溝３にはトップリング（圧力リング）５が装着され、２番目の第２リング溝４にはオイルリング６が装着されている。ピストン1にはピン孔１１が形成され、コンロッド（図示せず）を介してクランクシャフト（図示せず）に連結されたピン（図示せず）がピン孔１１に挿入固定される。
【００１８】
ピストン１における第１リング溝３と第２リング溝４との間のセカンドランド７にはくさび形断面の凹部８が形成されている。
【００１９】
図２ａ及び図２ｂに示すように、凹部８はピン孔１１の中心軸１１ａに直交する方向に開口し、底部が中心軸１１ａと平行になるように２箇所形成されている。即ち、凹部８は、ピストン１の中心軸を通り直交する二平面の一方の平面で最深であり、前記一方の平面がピストン１の中心軸から離れるにつれて浅くなるように形成されている。
【００２０】
以上のように構成した本実施形態の内燃機関用ピストンの作用を説明する。
【００２１】
エンジン（図示無し）の運転時においてピストン１は、図３に示すようにその上下死点では、所謂ピストンの首振り現象が起こり、ピストン打音の発生とともにトップリング５のシール性が悪化することはよく知られている。
【００２２】
ここでピストン１の上死点とは、エンジンの圧縮行程と排気行程終盤に相当する。排気行程終盤では大量の燃焼ガスが排気ポート（図示せず）へ流出するためピストン１の上面とシリンダヘッド（図示せず）の下面とシリンダ２の内面とで形成された燃焼室１０内の圧力が急に下り、セカンドランド７とこれに対向するシリンダ２の内壁面及びその両側のトップリング５とオイルリング６とで囲まれた空間２０（以後、ランド空間と言う）に溜まったオイルが燃焼室１０側に洩れる傾向にある。また、下死点は掻き落されたオイルにより前記ランド空間２０の圧力が急に大きくなる位置に相当し、ランド空間２０に溜まったオイルの燃焼室１０側への漏れが生じる。
【００２３】
そこで、このトップリング５直下のランド７に上記の如き断面形状の凹部８を形成することによりランド空間２０の容積が大きくなり、この部分の圧力変動が小さくなる。このようにランド空間２０の急激な圧力変動を防止することによりオイル消費を低減するとともに、部分的に凹部８を形成することによりランド７の強度低下も防ぐことができる。
【００２４】
なお、本実施形態では、凹部８を２箇所形成したが、１箇所でも３箇所以上でもよい。
【００２５】
また、本実施形態は、ピストンの首振り現象を例に説明したが、多気筒エンジンのシリンダにおいて散見する現象である、シリンダ内径のピン孔１１の中心軸１１ａ方向への熱変形に起因するトップリングのシール性悪化によるランド空間２０の急激な圧力変動を防ぐため、中心軸１１ａ方向に凹部８を形成してもよい。
【００２６】
また、本実施形態では凹部８をクサビ状に形成したが、略コの字状あるいは階段状に形成しても同様の効果を得ることは言うまでもない。
【００２７】
さらに、３本のリング溝を有したピストンにおいては、第２リング溝と第３リング溝との間のサードランドに凹部を設けても良い。
【図面の簡単な説明】
【００２８】
【図１】本発明に係るピストンとシリンダを示す断面図である。
【図２】（ａ）は本発明に係るピストン外観の上面図であり、（ｂ）は（ａ）の側面図である。
【図３】ピストン首振り現象の模式図である。
【符号の説明】
【００２９】
１・・・ピストン
２・・・シリンダ
３・・・第１リング溝
４・・・第２リング溝
５・・・トップリング（圧力リング）
６・・・オイルリング
７・・・セカンドランド
８・・・凹部
【図１】
2006257887.tif 000003
【図２】
2006257887.tif 000004
【図３】
2006257887.tif 000005